(57)【要約】      （修正有）【課題】  有効表示領域の両側に設けられたダミー画素電極を有効表示領域とは異なる階調で駆動することによって、横クロストークを低減する。【解決手段】  ＴＦＤ素子を用いた液晶装置において、有効表示領域Ｖの両側に、それぞれ縦列をなすように複数のダミー画素電極80を設ける。各ダミー画素電極80は黒色遮光層ＢＭに覆われているため、各ダミー画素電極80を駆動して画像が表示されても、観察者には見えない。グレーなどを背景色に白又は黒色の矩形状の表示をする場合には、第１の階調制御方法により、そのダミー画素電極80を、その有効表示領域Ｖの階調と異なる階調で駆動する。これにより、同一ライン上で階調レベルが集中するのを防止することができ、横クロストークを低減できる。【選択図】    図１
2005284056.tif 000002
【特許請求の範囲】
【請求項１】
複数の信号線、複数の画素電極、及び、前記信号線の各々と前記画素電極の各々とに接続された複数のスイッチング素子とを有する第１基板と、
複数の走査線を有し前記第１基板に対向配置された第２基板と、
前記第１基板と前記第２基板の間に挟持された液晶層と、
前記走査線及び前記信号線に信号を供給して前記液晶を駆動する駆動回路と、を備え、
前記複数の画素電極は、表示画素電極と、前記表示画素電極が設けられてなる表示領域の前記走査線の延長方向の淵に設けられてなり、遮光された前記ダミー画素電極とを含み、
前記駆動回路は、前記ダミー画素電極を、前記表示画素電極と異なる階調値で駆動する階調制御手段を備えることを特徴とする液晶表示装置。
【請求項２】
前記階調制御手段は、前記複数の走査線の各々について、当該走査線に対応するダミー画素電極を、当該走査線に対応する表示画素電極と異なる階調値で駆動することを特徴とする請求項１に記載の液晶表示装置。
【請求項３】
前記階調制御手段は、前記複数の走査線の各々について、当該走査線に対応する複数の表示画素電極を駆動する階調値の出現確率に基づいて、前記ダミー画素電極を駆動する階調値を決定することを特徴とする請求項２に記載の液晶表示装置。
【請求項４】
前記階調制御手段は、前記出現確率が所定値より低い階調値を、前記ダミー画素電極を駆動する階調値に決定することを特徴とする請求項３に記載の液晶表示装置。
【請求項５】
前記駆動回路は、前記ダミー画素電極に接続されている信号線に、前記表示画素電極に接続されている信号線よりも大きな電圧を印加することを特徴とする請求項１に記載の液晶表示装置。
【請求項６】
前記ダミー画素は、前記表示領域の前記走査線の延長方向の両側の淵に設けられてなることを特徴とする請求項１ないし５のいずれか１項に記載の液晶表示装置。
【請求項７】
複数の信号線、複数の画素電極、及び、前記信号線の各々と前記画素電極の各々とに接続された複数の二端子素子とを有する第１基板と、
複数の走査線を有し前記第１基板に対向配置された第２基板と、
前記第１基板と前記第２基板の間に挟持された液晶層と、
前記走査線及び前記信号線に信号を供給して前記液晶を駆動する駆動回路と、を備え、
前記複数の画素電極は、表示画素電極と、前記表示画素電極が設けられてなる表示領域の前記走査線の延長方向の淵に設けられてなり、遮光された前記ダミー画素電極とを含み、
前記駆動回路は、前記ダミー画素電極を、前記表示画素電極と異なる階調値で駆動する階調制御手段を備えることを特徴とする液晶表示装置。
【請求項８】
請求項１乃至７のいずれか一項に記載の液晶表示装置を備えることを特徴とする電子機器。
【発明の詳細な説明】
【技術分野】
【０００１】
本発明は、各種情報の表示に用いて好適な液晶表示装置および電子機器に関する。
【背景技術】
【０００２】
二端子素子型アクティブ・マトリクス、あるいはＴＦＤ(Thin Film Diode)と呼ばれる液晶パネルにおいては、相互に対向する２枚の基板のうち一方の基板に走査線が、他方の基板に信号線（データ線）及び画素電極が形成され、両基板間に液晶が封入されている。そして、他方の基板には、電流−電圧特性が非線形な素子が設けられ、その素子は画素電極及び信号線に夫々接続されている。
【０００３】
しかしながら、そのようなＴＦＤ液晶パネルにおいては、構造上、表示画面の１ライン（走査線）の表示中に、その１ラインに含まれる画素のレベルが特定の階調に集中すると、一斉に信号電極線の電位が変化する。この電位変化は走査線を通じて各画素へ伝搬し、横方向のクロストーク（以下、「横クロストーク」と呼ぶ。）を生じさせる。ここで、横クロストークとは、上記のように、画素レベルが特定の階調に集中したラインと、そうでないラインとにおいて、同一階調を表示しているにも拘わらず、表示画像上では表示レベルが異なってしまうことをいう。
【０００４】
なお、この種の液晶表示装置として、例えば、充放電駆動方式を用いた場合でも、直前のデータのクロストークを解消しつつ、かつコントラストを向上させる液晶表示装置が提案されている（例えば、特許文献１を参照）。
【０００５】
【特許文献１】特開平１１−１３３３７７号公報
【発明の開示】
【発明が解決しようとする課題】
【０００６】
本発明は、以上の点に鑑みてなされたものであり、横クロストークを低減することを課題とする。
【課題を解決するための手段】
【０００７】
本発明の１つの観点では、液晶表示装置は、複数の信号線、複数の画素電極、及び、前記信号線の各々と前記画素電極の各々とに接続された複数のスイッチング素子とを有する第１基板と、複数の走査線を有し前記第１基板に対向配置された第２基板と、前記第１基板と前記第２基板の間に挟持された液晶層と、前記走査線及び前記信号線に信号を供給して前記液晶を駆動する駆動回路と、を備え、前記複数の画素電極は、表示画素電極と、前記表示画素電極が設けられてなる表示領域の前記走査線の延長方向の淵に設けられてなり、遮光された前記ダミー画素電極とを含み、前記駆動回路は、前記ダミー画素電極を、前記表示画素電極と異なる階調値で駆動する階調制御手段を備える。
【０００８】
上記の液晶表示装置は、いわゆるＴＦＤ、ＴＦＴ（Thin Film Transistor）などのスイッチング素子を有するアクティブ・マトリクス駆動方式の液晶表示装置である。この液晶表示装置において、複数の画素電極は、表示画素電極が設けられてなる表示領域の走査線の延長方向の淵に位置し黒色遮光層などにより遮光されたダミー画素電極を含んでいる。好適な例では、前記ダミー画素は、前記表示領域の前記走査線の延長方向の両側の淵に設けることができる。このため、駆動回路が各ダミー画素電極を駆動することにより画像が表示されても、その画像は黒色遮光層などにより覆われており観察者には見えない。また、複数の画素電極は、ダミー画素の他に表示画素電極を含んでいる。このため、駆動回路が表示画素電極を駆動することにより、その表示画素電極が設けられた領域、即ち有効表示領域にて画像を表示することができる。
【０００９】
特に、この液晶表示装置において、駆動回路は、ダミー画素電極を、表示画素電極と異なる階調値で駆動する階調制御手段を備えている。これにより、表示画素電極の階調レベルが１つの階調値に集中しないように階調制御を行うことができ、横クロストークを低減できる。
【００１０】
上記の液晶表示装置の一態様では、前記階調制御手段は、前記複数の走査線の各々について、当該走査線に対応するダミー画素電極を、当該走査線に対応する表示画素電極と異なる階調値で駆動する。これにより、各ライン中の表示画素電極の階調レベルが１つの階調値に集中しないように階調制御を行うことができ、横クロストークを低減できる。
【００１１】
上記の液晶表示装置の他の態様では、前記階調制御手段は、前記複数の走査線の各々について、当該走査線に対応する複数の表示画素電極を駆動する階調値の出現確率に基づいて、前記ダミー画素電極を駆動する階調値を決定する。
【００１２】
この態様によれば、階調制御手段は、駆動時の表示画素電極の階調値の出現確率に基づいて、ダミー画素電極を駆動する階調値を決定することができる。そして、駆動回路は、その決定した階調値でダミー画素電極を駆動することができる。これにより、各ライン中の表示画素電極の階調レベルが１つの階調値に集中しないように階調制御を行うことができ、横クロストークを低減できる。
【００１３】
上記の液晶表示装置の他の態様では、前記階調制御手段は、前記出現確率が所定値より低い階調値を、前記ダミー画素電極を駆動する階調値に決定する。
【００１４】
この態様によれば、階調制御手段は、出現確率が所定値より低い階調値を、ダミー画素電極を駆動する階調値に決定することができる。そして、駆動回路は、その決定した階調値でダミー画素電極を駆動することができる。これにより、各ライン中の表示画素電極の階調レベルが１つの階調値に集中しないように階調制御を行うことができ、横クロストークを低減できる。
【００１５】
上記の液晶表示装置の他の態様では、前記駆動回路は、前記ダミー画素電極に接続されている信号線に、前記表示画素電極に接続されている信号線よりも大きな電圧を印加する。
【００１６】
この態様によれば、駆動回路は、ライン選択期間に、ダミー画素電極に接続されている信号線に、表示画素電極に接続されている信号線よりも大きな電圧を印加することができる。これにより、ライン選択期間に、横クロストークの発生原因となる、信号線と走査線の合成電圧波形に生じるスパイク波形をできるだけ小さくすることができる。よって、ダミー画素電極の設定数が少ない液晶表示装置であっても、効果的に横クロストークを低減できる。
【００１７】
本発明の他の観点では、液晶表示装置は、複数の信号線、複数の画素電極、及び、前記信号線の各々と前記画素電極の各々とに接続された複数の二端子素子とを有する第１基板と、複数の走査線を有し前記第１基板に対向配置された第２基板と、前記第１基板と前記第２基板の間に挟持された液晶層と、前記走査線及び前記信号線に信号を供給して前記液晶を駆動する駆動回路と、を備え、前記複数の画素電極は、表示画素電極と、前記表示画素電極が設けられてなる表示領域の前記走査線の延長方向の淵に設けられてなり、遮光された前記ダミー画素電極とを含み、前記駆動回路は、前記ダミー画素電極を、前記表示画素電極と異なる階調値で駆動する階調制御手段を備える。
【００１８】
上記の液晶表示装置は、いわゆるＴＦＤなどの二端子素子を有するアクティブ・マトリクス駆動方式の液晶表示装置である。この液晶表示装置において、複数の画素電極は、表示画素電極が設けられてなる表示領域の走査線の延長方向の淵に位置し黒色遮光層などにより遮光されたダミー画素電極を含んでいる。このため、駆動回路が各ダミー画素電極を駆動することにより画像が表示されても、その画像は黒色遮光層などにより覆われており観察者には見えない。また、複数の画素電極は、ダミー画素の他に表示画素電極を含んでいる。このため、駆動回路が表示画素電極を駆動することにより、その表示画素電極が設けられた領域、即ち有効表示領域にて画像を表示することができる。
【００１９】
特に、この液晶表示装置において、駆動回路は、ダミー画素電極を、表示画素電極と異なる階調値で駆動する階調制御手段を備えている。これにより、表示画素電極の階調レベルが１つの階調値に集中しないように階調制御を行うことができ、横クロストークを低減できる。
【００２０】
また、上記の液晶表示装置を備える電子機器を構成することができる。
【発明を実施するための最良の形態】
【００２１】
以下、図面を参照して本発明を実施するための最良の形態について説明する。尚、以下の実施形態は、本発明を液晶表示装置に適用したものである。本実施形態では、有効表示領域の両側に、画像表示に寄与しない画素電極（以下、「ダミー画素電極」と呼ぶ）を設けて、そのダミー画素電極を有効表示領域とは異なる階調で駆動する。または、ライン選択期間に、ダミー画素電極に接続されたデータ線に、有効表示領域内の画素電極に接続されたデータ線よりも高い電圧を印加して、そのダミー画素電極を駆動する。これにより、横クロストークを低減する。
【００２２】
[液晶表示装置１００の構成]
まず、本発明の実施形態に係る液晶表示装置の構成について説明する。図１は、本発明の液晶表示装置１００の概略構成を模式的に示す平面図である。図１では、主として、液晶表示装置１００の電極及び配線の構成を平面図として示している。ここに、本発明の液晶表示装置１００は、ＴＦＤ素子を用いたアクティブ・マトリクス駆動方式であって、半透過反射型の液晶表示装置である。図２は、図１の液晶表示装置１００における切断線Ａ−Ａ’に沿った概略断面図を示す。
【００２３】
まず、図２を参照して、切断線Ａ−Ａ’に沿った液晶表示装置１００の断面構成について説明し、その後、液晶表示装置１００の電極及び配線の構成について説明する。
【００２４】
図２において、液晶表示装置１００は、素子基板９２と、その素子基板９２に対向して配置されるカラーフィルタ基板９１とが枠状のシール部材３を介して貼り合わされ、内部に液晶が封入されて液晶層４が形成されてなる。この枠状のシール部材３には、複数の金粒子などの導通部材７が混入されている。
【００２５】
下側基板２の内面上には、表面上に細かい凹凸が形成された散乱層９が形成されている。散乱層９の内面上は、サブ画素ＳＧ毎に、所定の厚みを有する反射層５が形成されている。各反射層５には、矩形状の開口部２０（以下、「透明領域」とも呼ぶ。）が形成されている。各反射層５は、アルミニウム、アルミニウム合金、銀合金等の薄膜により形成することができる。開口部２０は、カラーフィルタ基板９１の内面上に縦横にマトリクス状に配列されたサブ画素ＳＧ毎に、当該サブ画素ＳＧの全面積を基準として所定割合の面積を有するように形成されている。
【００２６】
反射層５上であって且つ各サブ画素ＳＧの間には、隣接するサブ画素ＳＧ間を隔て、一方のサブ画素から他方のサブ画素への光の混入を防止するため、黒色遮光層ＢＭが形成されている。この黒色遮光層ＢＭは、黒色の樹脂材料、例えば黒色の顔料を樹脂中に分散させたもの等を用いることが可能である。なお、本発明では、これに代えて、Ｒ、Ｇ、Ｂの着色層が相互に重ね合わされて形成された重ね遮光層（図示略）を用いてもよい。
【００２７】
また、反射層５上及び開口部２０上には、サブ画素ＳＧ毎にＲ、Ｇ、Ｂの三色のいずれかからなる着色層６Ｒ、６Ｇ、及び６Ｂが形成されている。着色層６Ｒ、６Ｇ及び６Ｂによりカラーフィルタが構成される。画素Ｇは、Ｒ、Ｇ、Ｂのサブ画素ＳＧから構成されるカラー１画素分の領域を示している。なお、以下の説明において、色を問わずに着色層を指す場合は単に「着色層６」と記し、色を区別して着色層を指す場合は「着色層６Ｒ」などと記す。また、図２に示すように、開口部２０上に形成された着色層６の厚さは、反射層５上に形成された着色層６の厚さよりも厚く形成されている。これにより、着色層６は、反射型表示モードと透過型表示モードとにおいて夫々所望の色相及び明るさを呈するように設計されている。
【００２８】
着色層６及び黒色遮光層ＢＭの上には、透明樹脂等からなる保護層１８が形成されている。この保護層１８は、カラーフィルタ基板９１及び液晶表示装置１００の製造工程中に使用される薬剤等による腐食や汚染から、着色層６を保護する機能を有する。保護層１８の表面上には、ストライプ状のＩＴＯ（Indium-Tin Oxide）などの透明電極（走査電極）８が形成されている。この透明電極８の一端はシール部材３内に延在しており、そのシール部材３内の導通部材７と電気的に接続されている。
【００２９】
一方、上側基板１の内面上には、サブ画素毎に、ＴＦＤ素子２１及び画素電極１０が形成されている。ＴＦＤ素子２１及び画素電極１０の内面上には、透明樹脂等からなる保護層１７が形成されている。上側基板１及び保護層１７の内面上の左右周縁部には、走査線３１が形成されている。走査線３１の一端部はシール部材３内まで延在しており、その走査線３１は、シール部材３内の導通部材７と電気的に接続されている。
【００３０】
下側基板２の透明電極８の内面上、及び上側基板１の保護層１７の内面上には、それぞれ図示しない配向膜が形成されている。それらの配向膜の間には、液晶層４の厚さを均一に保持するために粒子状のスペーサ（図示略）がランダムに配置されている。スペーサの材料としては、シリカや樹脂などを主成分とするものが好ましい。
【００３１】
下側基板２の外面上には、位相差板（１／４波長板）１１及び偏光板１２が配置されており、上側基板１の外面上には、位相差板（１／４波長板）１３及び偏光板１４が配置されている。また、偏光板１２の下側には、バックライト１５が配置されている。バックライト１５は、例えば、ＬＥＤ（Light Emitting Diode）等といった点状光源や、冷陰極蛍光管等といった線状光源などが好適である。
【００３２】
下側基板２の透明電極８、即ち下側基板２の走査線と、上側基板１の走査線３１とは、シール部材３内に混入された導通部材７を介して上下導通している。
【００３３】
さて、本実施形態の液晶表示装置１００において反射型表示がなされる場合、液晶表示装置１００に入射した外光は、図２に示す経路Ｒに沿って進行する。つまり、液晶表示装置１００に入射した外光は、反射層５によって反射され観察者に至る。この場合、その外光は、着色層６が形成されている領域を通過して、その着色層６の下側にある反射層５により反射され、再度着色層６を通過することによって所定の色相及び明るさを呈する。こうして、所望のカラー表示画像が観察者により視認される。
【００３４】
一方、透過型表示がなされる場合、バックライト１５から出射した照明光は、図２に示す経路Ｔに沿って進行し、透過領域、即ち、開口部２０上の着色層６を通過して観察者に至る。この場合、その照明光は、着色層６を透過することにより所定の色相及び明るさを呈する。こうして、所望のカラー表示画像が観察者により視認される。
【００３５】
次に、図１、図３及び図４を参照して、本発明の素子基板９２及びカラーフィルタ基板９１の電極及び配線の構成について説明する。図３は、素子基板９２を正面方向（即ち、図２における下方）から観察したときの素子基板９２の電極及び配線などの構成を平面図として示す。図４は、カラーフィルタ基板９１を正面方向（即ち、図２における上方）から観察したときのカラーフィルタ基板９１の電極の構成を平面図として示す。なお、図３において電極や配線は観察方向の背面側に形成されるものであるが、説明の便宜上、実線で表すこととしている。また、図３及び図４において、電極や配線以外のその他の要素は説明の便宜上図示を省略している。
【００３６】
図１において、素子基板９２の画素電極１０と、カラーフィルタ基板９１の透明電極８との交差する領域が表示の最小単位であるサブ画素ＳＧを構成する。そして、このサブ画素ＳＧが紙面縦方向及び紙面横方向に複数個、マトリクス状に並べられた領域が有効表示領域Ｖ（２点鎖線により囲まれる領域）である。この有効表示領域Ｖに、文字、数字、図形等の画像が表示される。また、有効表示領域Ｖの両側には、図１及び図３に示すように、それぞれ縦方向に１行〜数行分に相当するダミー画素電極８０が設けられている。なお、以下では、ダミー画素電極８０が設けられた領域を「ダミー画素領域８６」（破線により囲まれる領域）と称する。ダミー画素領域８６は、図示しない黒色遮光層ＢＭにより覆われているが、本実施形態では黒色遮光層ＢＭを省略している。このため、各ダミー画素電極８０を駆動して画像が表示されても、その画像は黒色遮光層ＢＭにより覆われており観察者には見えない。さらに、図１及び図３において、液晶表示装置１００の外周と、有効表示領域Ｖとによって区画された領域は、画像表示に寄与しない額縁領域３８である。なお、画素電極のうち、ダミー画素電極以外の電極を、これと区別する意味で「表示画素電極」と呼ぶことがある。
【００３７】
[電極及び配線構成]
先ず、図３を参照して、素子基板９２の電極及び配線の構成などについて説明する。素子基板９２は、ＴＦＤ素子２１、画素電極１０、複数の走査線３１、複数のデータ線３２、ＹドライバＩＣ３３、ＸドライバＩＣ１１０、及び複数の外部接続用端子３５を備えている。
【００３８】
素子基板９２の張り出し領域３６上には、ＹドライバＩＣ３３及びＸドライバＩＣ１１０が例えばＡＣＦ（Anisotropic Conductive Film：異方性導電膜）を介して、それぞれ実装されている。なお、図３において、素子基板９２の張り出し領域３６側の辺９２ａから反対側の辺９２ｃへ向かう方向をＸ方向とし、辺９２ｄから辺９２ｂへ向かう方向をＹ方向とする。
【００３９】
張り出し領域３６上には、複数の外部接続用端子３５が形成されている。ＹドライバＩＣ３３及びＸドライバＩＣ１１０の各入力端子（図示略）は、導電性を有するバンプを介して、その複数の外部用接続端子３５にそれぞれ接続されている。外部接続用端子３５は、ＡＣＦや半田などを介して、図示しない配線基板、例えばフレキシブルプリント基板に接続されている。これにより、例えば携帯電話や情報端末などの電子機器から液晶表示装置１００へ信号や電力が供給される。
【００４０】
ＸドライバＩＣ１１０の出力端子（図示略）は、導電性を有するバンプを介して、複数のデータ線３２に接続されている。一方、各ＹドライバＩＣ３３の出力端子（図示略）は、導電性を有するバンプを介して、複数の走査線３１に接続されている。これにより、各ＹドライバＩＣ３３は複数の走査線３１に走査信号を、ＸドライバＩＣ１１０は複数のデータ線３２にデータ信号をそれぞれ出力する。
【００４１】
複数のデータ線３２は、紙面縦方向に延在する直線状の配線であり、張り出し領域３６から有効表示領域ＶにかけてＸ方向に形成されている。各データ線３２は一定の間隔を隔てて形成されている。また、各データ線３２は、適宜の間隔をおいて複数のＴＦＤ素子２１に接続されており、各ＴＦＤ素子２１は対応する各画素電極１０に接続されている。
【００４２】
複数の走査線３１は、本線部分３１ａと、その本線部分３１ａに対して略直角に折れ曲がる折れ曲がり部分３１ｂとにより構成されている。各本線部分３１ａは、額縁領域３８内を張り出し領域３６からＸ方向に形成されている。また、各本線部分３１ａは、各データ線３２に対して略平行で、且つ、一定の間隔を隔てて形成されている。各折れ曲がり部分３１ｂは、額縁領域３８内において、左右に位置するシール部材３内までＹ方向に延在している。そして、その折れ曲がり部分３１ｂの終端部は、シール部材３内で導通部材７に接続されている。
【００４３】
次に、カラーフィルタ基板９１の電極の構成について説明する。図４に示すように、カラーフィルタ基板９１は、Ｙ方向にストライプ状の透明電極（走査電極）８が形成されている。各透明電極８の左端部或いは右端部は、図１及び図４に示すように、シール部材３内まで延在しており、且つ、シール部材３内の導通部材７に接続されている。
【００４４】
以上に述べた、カラーフィルタ基板９１と素子基板９２とをシール部材３を介して貼り合わせた状態が図１に示されている。図示のように、カラーフィルタ基板９１の各透明電極８は、素子基板９２の各データ線３２に対して直交しており、且つ、横列をなす複数の画素電極１０と平面的に重なり合っている。このように、透明電極８と画素電極１０とが重なり合う領域がサブ画素ＳＧを構成する。
【００４５】
また、カラーフィルタ基板９１の透明電極８（即ち、カラーフィルタ基板９１側の走査線）と、素子基板９２の走査線３１とは、図示のように左辺側と右辺側との間で交互に重なり合っており、その透明電極８と走査線３１とは、シール部材３内の導通部材７を介して上下導通している。つまり、透明電極８たるカラーフィルタ基板９１の各走査線と、素子基板９２の各走査線３１との導通は、図示のように左辺側と右辺側との間で交互に実現されている。これにより、カラーフィルタ基板９１の透明電極８は、素子基板９２の走査線３１を介して、紙面左右に夫々位置する各ＹドライバＩＣ３３に電気的に接続されている。
【００４６】
[駆動回路]
次に、液晶表示装置１００の駆動回路について説明する。図５に、液晶表示装置１００の駆動回路の構成を模式的に示す。図５において、液晶表示装置１００の駆動回路は、走査信号駆動回路３３ａと、データ信号駆動回路１１０ａと、タイミング信号生成回路５１と、変換回路５２と、を備える。タイミング信号生成回路５１は、図示の各構成要素を駆動するための各種タイミング信号を出力する。なお、これらの回路は、ＸドライバＩＣ１１０及びＹドライバＩＣ３３に内蔵される。
【００４７】
液晶表示装置１００は、上記したように、行方向に延在して設けられた複数の走査線３１及び対応する複数の走査電極８と、列方向に延在して設けられた複数のデータ線３２とを備えている。なお、以下では、説明の便宜上、１本の走査線３１及び対応する１本の走査電極８を「走査線８５」と称する。これらの走査線８５とデータ線３２の各交差部分においては、ＴＦＤ素子２１と液晶層４とが直列に接続され、これによって各交差部分に画素が形成されている。
【００４８】
走査信号駆動回路３３ａは、走査線８５に走査電位ＶAを印加し、データ信号駆動回路１１０ａはデータ線３２に対して信号電位ＶBを印加する。電位ＶA及びＶBについて、図６を参照して説明する。まず、走査線８５には、図６（ａ）に示すような走査電位ＶAが印加される。ライン選択期間Ｔ毎に、各走査線８５は順次選択され、ある共通電位ＶGNDに対して±Ｖselなる電位差、即ち電圧を持ついずれかの電位が印加される。なお、この電圧Ｖselを選択電圧と呼ぶ。そして、ライン選択期間後には、共通電位ＶGNDに対して±Ｖhldなる電圧を持ついずれかの電位が印加される。ここで、選択時の電位がＶGND＋ＶselのときにはＶGND＋Ｖhldの電位が印加され、選択時の電位がＶGND−ＶselのときにはＶGND−Ｖhldの電位が印加される。なお、この電圧Ｖhldを保持電圧と呼ぶ。また、全ての走査線８５が一巡して選択され終わる期間をフィールド期間といい、次のフィールド期間では、先のフィールド期間とは逆特性の選択電圧を用いて順次、走査線８５を選択していく。
【００４９】
一方、データ線３２に対しては、図６（ｂ）に示すように、共通電位ＶGNDに対して±Ｖsigなる電圧を持ついずれかの電位が印加される。ここで、ある選択期間に選択された走査線８５に印加する電位がＶGND＋Ｖselの場合に、ＶGND−Ｖsigをオン電位Ｖon、ＶGND＋Ｖsigをオフ電位Ｖoffとして用いる。また、ある選択期間に選択された走査線８５に印加する電位がＶGND−Ｖselの場合に、ＶGND＋Ｖsigをオン電位Ｖon、ＶGND−Ｖsigをオフ電位Ｖoffとして用いる。
【００５０】
即ち、信号電位ＶBの各ライン選択期間Ｔ内の波形は、当該データ線３２に係る列における各画素の階調に応じて設定されるが、まず、信号電位ＶBは、各ライン選択期間Ｔ毎にオン区間とオフ区間に分割され、オン区間においてはオン電位Ｖonに、オフ区間においてはオフ電位Ｖoffに設定される。即ち、信号電位ＶBは、階調値に応じてパルス幅変調される。そして、画素に与えるべき階調が高くなるほど（ノーマリーホワイトモードでは暗くなるほど）、オン区間の占める割合が大きく設定される。
【００５１】
次に、走査線８５及びデータ線３２の電極間電圧ＶABを図６（ｃ）の実線で示す。図示のように、電極間電圧ＶABの絶対値は、当該画素の選択期間において高くなることがわかる。また、液晶層４に印加される液晶層電圧ＶLCは、図６（ｃ）のハッチングで示すようになる。液層層電圧ＶLCが変化する際には、液晶層４が形成する容量を充放電しなければならないため、液晶層電圧ＶLCは電極間電圧ＶABに対して過渡応答的に変化する。なお、図６（ｃ）において電圧ＶNLは電極間電圧ＶABと液層層電圧ＶLCとの差、即ち非線形二端子素子２１の端子電圧である。
【００５２】
本実施形態における信号電位ＶBの一例を図７（ａ）に示す。図７（ａ）において、ライン選択期間Ｔはオン区間とオフ区間により構成される。また、走査電位ＶAは図６（ａ）に示すようであるから、電極間電圧ＶAB及び液層層電圧ＶLCは図７（ｂ）に示すようになる。
【００５３】
変換回路５２は、外部から入力されたカラー画像信号Ｒ、Ｇ、Ｂをデータ信号ＤＲ、ＤＧ、ＤＢに変換する。具体的には、変換回路５２は、カラー画像信号Ｒ、Ｇ、Ｂが供給されると、これをラインバッファ（図示せず）に格納し、カラー画像信号Ｒ、Ｇ、Ｂをデータ信号ＤＲ、ＤＧ、ＤＢに変換し、データ信号駆動回路１１０ａに供給する。ここで、カラー画像信号Ｒ、Ｇ、Ｂの各色の階調値は、「０」〜「１５」の範囲の値であり、これらが図８の表に従って、ライン選択期間Ｔ内の階調値に変換される。
【００５４】
また、変換回路５２は、データ信号駆動回路１１０ａに対してクロック信号ＧＣＰ（Gray Control Pulse）を供給する。クロック信号ＧＣＰの生成方法について説明する。変換回路５２においては、各ライン選択期間Ｔを「２５６」分周する基本クロック信号が生成される。次に、この基本クロック信号を８ビット（最大２５５）のカウンタでカウントし、そのカウント結果が所定値になるとクロック信号ＧＣＰの１パルスが出力される。この「所定値」が図８に示す階調値（０、１３、２６、…２５５）に対応する。なお、クロック信号ＧＣＰの１パルスが出力されるカウンタ値は液晶表示装置１００の階調特性に応じて直線性が保たれるように設定される。
【００５５】
図８において、階調値が「０」であればオン区間の幅も「０」であり、当該ライン選択期間の全区間がオフ区間となる。そして、階調値が高くなるほどオン区間の占める割合（基本クロック信号の数）が多くなる。そして、階調値１５においてはオン区間は「２５５」に設定され、当該ライン選択期間の全区間がオン区間となる。
【００５６】
次に、データ信号駆動回路１１０ａの構成を、図９を参照して詳細に説明する。データ信号駆動回路１１０ａ内のシフトレジスタ１１２は「ｍ／３」ビット（ｍはデータ線３２の数）のシフトレジスタであり、画素クロックＸＳＣＬが供給される毎に、各ビットの内容を右側に隣接するビットにシフトしてゆく。なお、図１０に示すように、画素クロックＸＳＣＬは、各画素のデータ信号ＤＲ、ＤＧ、ＤＢが供給されるタイミングに同期して立ち下がる信号である。シフトレジスタ１１２の左端のビットにはパルス信号ＤＸが供給される。このパルス信号ＤＸは、変換回路５２からライン選択期間Ｔのデータ信号ＤＲ、ＤＧ、ＤＢの出力が開始されるときにおいて発生するワンショットのパルス信号である。従って、シフトレジスタ１１２の各ビットから出力される信号Ｓ１〜Ｓｍは、画素クロックＸＳＣＬの周期に等しい時間だけ順次排他的にＨレベルになる信号となる。
【００５７】
レジスタ１１４は、シフトレジスタ１１２の出力信号Ｓ１〜Ｓｍの各立ち上がりに同期して、３画素ずつデータ信号ＤＲ、ＤＧ、ＤＢをラッチする。ラッチ回路１１６はラッチパルスＬＰの立ち上がりに同期してレジスタ１１４に記憶されたデータ信号を一斉にラッチする。波形変換部１１８は、ラッチされたデータ信号を図７（ａ）に示すような信号電位ＶBに変換し、ｍ本のデータ線３２に印加する。即ち、このラッチパルスＬＰの出力タイミングがライン選択期間Ｔの開始タイミングになる。
【００５８】
次に、波形変換部１１８の構成例を図１１に示す。図１１において、カウンタ１２４は全データ線３２に対して共通に設けられたカウンタであり、ラッチパルスＬＰの立ち上がり時にカウント値が「０」にリセットされ、クロック信号ＧＣＰをカウントする。比較器１２６は、ラッチ回路１１６にラッチされた各画素のデータ信号ＤＲ、ＤＧ、ＤＢとカウンタ１２４のカウント値とを比較し、カウント値がデータ信号の値未満であればＨレベル、カウント値がデータ信号の値以上であればＬレベルの比較信号ＣＭＰを出力する。そして、スイッチ１２２は、対応する比較信号ＣＭＰがＨレベルであればオン電位Ｖonを選択し、Ｌレベルであればオフ電位Ｖoffを選択し、選択した電位を信号電位ＶBとして出力する。
【００５９】
図１２に、液晶表示装置１００における階調表示における駆動波形を示す。上述のように、液晶表示装置１００では液晶層４に印加する駆動電圧をパルス幅変調することにより階調表示が行われる。図１２の上段に白表示、グレー表示、黒表示の場合の１ライン分（１Ｔ）の駆動波形例を示す。なお、本例はノーマリーホワイトの液晶表示装置１００であるとする。
【００６０】
走査線駆動波形６１は走査線８５に印加されるパルス波形であり、上記の走査電位ＶAを規定する。また、データ線駆動波形６２はデータ線３２に印加されるパルス波形であり、上記信号電位ＶBを規定する。図５から理解されるように、液晶層４に対しては、走査線８５とデータ線３２の電位差、つまり電極間電位が印加される。即ち、液晶層４には、走査線駆動波形６１とデータ線駆動波形６２の合計の電圧、即ち図１２の下段に示す合成電圧波形に示す電極間電圧が印加される。また、図１２の下段では、実際の液晶層４の電圧レベル（液晶層電圧レベル）の変化を液晶層電圧波形６３として示している。液晶層４は、電圧を印加してから液晶分子の配向が変化するまでに遅延があるため、その分の過渡応答が生じて図１２下段に示す液晶層電圧波形６３が液晶層４に印加されることになる。液晶層電圧レベルに応じて、液晶表示装置１００の階調が変化する。本例の液晶表示装置１００はノーマリーホワイトであるので、液晶層電圧レベルが低い場合が白表示、高い場合が黒表示、その中間がグレー表示（中間調表示）となる。
【００６１】
図１２上段の波形から理解されるように、グレー表示（中間調表示）時の中間調レベルはデータ線駆動波形６２のパルス幅により制御される。このデータ線駆動波形６２は、前述のＧＣＰにより決定される。従って、ＧＣＰを変化させることにより、データ線駆動波形６２のパルス幅が変化し、その結果中間調レベルを変化させることができる。
【００６２】
［横クロストークの発生原理］
次に、横クロストークについて図１３及び図１４を参照して説明する。図１３は液晶表示装置１００の１本の走査線８５の等価回路を示す。走査線８５とデータ線３２の間の液晶層４は両電極間の容量Ｃとして作用する。つまり、電気的には、特定の１ラインについて、走査線８５とデータ線３２との間に１ラインの画素数分の容量Ｃが並列接続された状態となる。また、走査線８５の引き回しの長さに起因する抵抗分Ｒがこれら容量Ｃの並列接続に対して直列に接続された状態となる。これにより、液晶層４に印加されるパルス波形には過渡応答が生じる。
【００６３】
図１４は、液晶表示装置１００の特定のラインＸ及びＹにおける等価回路、並びに、それに印加される駆動波形及び合成電圧波形などを示す。図１４において、液晶表示装置１００は横クロストークが発生した状態を示している。液晶表示装置１００に対しては、エリアＡ及びエリアＣが同一のグレーレベルとなり、かつ、エリアＢが白レベルとなるように走査線電圧及び信号線電圧を印加している。しかし、実際には横クロストークの発生により、同一の階調レベルであるはずのエリアＡとエリアＣでは表示画像上のグレーレベルが異なってしまっている。なお、このとき、エリアＢが黒レベルとなるように走査線電圧及び信号線電圧を印加した場合においても、上記同様に横クロストークが発生する。
【００６４】
具体的には、ラインＸの等価回路を図１４上段に示している。エリアＡは同一の階調レベルで表示がなされるので、ラインＸの各画素は同一の階調レベルで表示がなされる。そのときの駆動波形Ａには図示のように抵抗分Ｒと容量Ｃによりスパイク状の波形（以下、説明の便宜上「スパイク波形」と呼ぶことにする。）６６が生じ、合成電圧波形Ａにもそれに対応するスパイク波形６８が生じる。この合成電圧波形により、ラインＸ上の表示画素のグレーレベルが決まる。
【００６５】
一方、ラインＹについては、エリアＢの領域では左下の駆動波形Ｂが印加され、エリアＣの領域では右下の駆動波形Ｃが印加される。従って、ラインＸの場合と比較すると、白表示を行うエリアＢの領域においては印加電圧が小さく、その結果、駆動波形Ｃに生じるスパイク波形６７のレベルは駆動波形Ａのスパイク波形６６と比較して小さくなる。従って、ラインＹの合成電圧波形ＢＣにおけるスパイク波形６９は、ラインＸの合成電圧波形Ａにおけるスパイク波形６８より大きくなる。その結果、エリアＣにおいてはエリアＡに比べて、液晶層４に印加される液晶層電圧レベルが高くなり、表示画素はより黒に近いグレーとなる。つまり、同じグレーレベルを表示しようとしたエリアCとエリアAの階調が異なってしまうことになる。以上が横クロストークの発生する原理である。
【００６６】
[横クロストークの低減方法]
次に、図１５乃至図１７を参照して、本発明の第１及び第２の階調制御方法による横クロストークの低減方法について述べる。
【００６７】
（第１の階調制御方法）
図１５及び図１６は、それぞれ第１の階調制御方法による横クロストークを低減する方法を説明する図及びグラフである。なお、図１５に示される液晶表示装置１００では、説明の便宜上、ダミー画素領域８６を覆う黒色遮光層ＢＭを省略している。図１６に示される２種類のグラフは、夫々有効表示領域Ｖ内のあるライン中における、画素電極１０の階調の出現確率を示すグラフである。グラフ８７は、階調値「３２」付近で緩やかにピークとなるグラフの一例を示している。一方、グラフ８８は、階調値「１３」付近で急峻なピークとなるグラフの一例を示している。また、図１６では、横軸に「６４」の階調値を示しているが、これはあくまで一例にすぎず、本発明は「１２８」、「２５６」などの階調値を適用することができる。
【００６８】
上述のように、横クロストークは、あるライン中の画素の階調が１つの階調に集中することにより、スパイク波形が大きくなるため発生する。よって、基本的には、あるライン中の画素の階調レベルが１つの階調に集中しないように階調制御を行うことにより、横クロストークを低減することができることになる。
【００６９】
第１の階調制御方法では、有効表示領域Ｖの両側に設けられた複数のダミー画素電極８０を、その有効表示領域Ｖの階調と異なる階調で駆動するように階調制御を行う。これにより、あるライン中の画素の階調レベルが１つの階調に集中しないように階調制御がなされ、横クロストークが低減される。
【００７０】
第１の階調制御方法を述べると、図１５に示す液晶表示装置１００に対しては、エリアＡ及びエリアＣが同一のグレーレベルとなり、かつ、エリアＢが黒レベルとなるように走査線電圧及び信号線電圧を印加している。このため、ラインＸ上では、エリアＡにおいて特定のグレーに対応する階調が集中している。そこで、第１の階調制御方法では、そのエリアＡの両側に位置するダミー画素領域８６内の複数の画素電極８０、即ちエリアＤ−２に対応する複数のダミー画素電極８０を、そのエリアＡのグレーに対応する階調と異なる階調、例えば、図示のように黒に対応する階調で駆動する。これに対し、ラインＹ上では、エリアＢにおいて黒に対応する階調が集中しているので、そのエリアＣの両側に位置するダミー画素領域８６内の複数のダミー画素電極８０、即ちエリアＤ−１に対応する複数のダミー画素電極８０を、そのエリアＢの黒階調と異なる階調、例えば、図示のように規定のグレー階調で駆動する。
【００７１】
ここで、図１６に示すグラフを参照して、あるライン中の画素の階調レベルが１つの階調に集中した場合に、そのライン上のダミー画素電極８０をどの階調で駆動するかについて述べる。
【００７２】
グラフ８７に示すように、有効表示領域Ｖ内のあるライン上の画素電極１０の階調が階調値「３２」付近で緩やかにピークとなる場合を例にとると、第１の階調制御方法では、そのライン上のダミー画素電極８０を出現確率の少ない階調値で駆動することが好ましい。具体的には、図１６のグラフに示されるように、ある出現確率のラインを閾値Ｌ１とした場合、第１の階調制御方法では、そのライン上のダミー画素電極８０を、その閾値Ｌ１以下の階調値、即ち階調値「１３」以下、又は階調値「５１」以上の階調値で駆動する。なお、この閾値Ｌ１は必要に応じて適宜変更可能である。
【００７３】
また、グラフ８８に示すように、有効表示領域Ｖ内のあるライン上の画素電極１０の階調が階調値１３付近で急峻なピークとなる場合を例にとると、第１の階調制御方法では、そのライン上のダミー画素電極８０を、基本的には、上記同様に閾値Ｌ１以下の階調値で駆動する。しかし、グラフ８８は階調値「１３」で急峻なピークとなるため、そのライン上のダミー画素電極８０を閾値Ｌ１以下である「１３」以下の階調値で駆動しても、有効表示領域Ｖ内の画素電極１０の階調値とそれ程差がでない。そのような場合、第１の階調制御方法では、そのライン上のダミー画素電極８０を出現確率の最も多いその階調値「１３」から所定の階調値（例えば階調数「６４」の１／２又は１／４など）だけずらした階調値で駆動する。
【００７４】
これにより、液晶表示装置１００の有効表示領域Ｖにおいて、同一ライン上で階調レベルが集中するのを防止することができ、横クロストークを低減できる。
【００７５】
なお、上記において、液晶表示装置１００に対してダミー画素電極８０の設定数が多いほど、換言すれば、ダミー画素領域８６の設定数が多いほど同一ライン上にて階調レベルが集中するのを防止でき、より一層、横クロストークを低減する効果が得られる。しかし、ダミー画素領域８６の設定数が多くなると、その分だけ表示に寄与しない額縁領域３８が広がってしまう。したがって、液晶表示装置１００に対してのダミー画素領域８６の設定数は、所望する横クロストークの低減効果との関係で決めるのが好ましい。
【００７６】
（第２の階調制御方法）
図１７は、第２の階調制御方法による横クロストークを低減する方法を説明するグラフである。図１７（ａ）は、有効表示領域Ｖ内の走査電位ＶA及び信号電位ＶBの波形図を示す。図１７（ｂ）は、ダミー画素領域８６内の走査電位ＶA及び信号電位ＶBの波形図を示す。
【００７７】
第２の階調制御方法では、ライン選択期間Ｔに、図１５に示すダミー画素領域８６における各ダミー画素電極８０に夫々接続された各データ線３２ａに対して、有効表示領域Ｖ内の各画素電極１０に接続された各データ線３２（図示略）に印加される信号線電圧よりも高い電圧を印加して、横クロストークを低減する。
【００７８】
具体的には、有効表示領域Ｖ内の各画素電極１０に接続された各データ線３２には、図１７（ａ）に示すように、共通電位ＶGNDに対して±Ｖsigなる電圧を持ついずれかの電位が印加される。このため、第２の階調制御方法では、ダミー画素領域８６内における各ダミー画素電極８０に夫々接続された各データ線３２ａに、図１７（ｂ）に示すように、共通電位ＶGNDに対して±Ｖsig±Ｖ1なる電圧を持ついずれかの高い電位を印加する。これにより、合成電圧波形に生じるスパイク波形をできるだけ小さくすることができ（図示略）、ダミー画素電極８０の設定数が少ない液晶表示装置に対しても効果的に横クロストークを低減できる。
【００７９】
（変形例）
上記の実施形態では、有効表示領域Ｖの両側に、縦方向に１行〜数行分に相当するダミー画素電極８０の領域、即ちダミー画素領域８６をそれぞれ設けて、上記した第１又は第２の階調制御方法により、横クロストークを低減するようにした。しかし、これに限らず、液晶表示装置の各種仕様に応じて、図１８（ａ）又は（ｂ）に示すように、有効表示領域Ｖの左右のいずれか一方に、ダミー画素領域８６を設けて、上記した第１又は第２の階調制御方法により、横クロストークを低減するようにしても構わない。
【００８０】
また、上記の第１の階調制御方法と第２の階調制御方法の両方を同時に適用することもできる。
【００８１】
また、上記の実施形態では、半透過反射型の液晶表示装置１００に本発明を適用したが、これに限らず、反射型又は透過型の液晶表示装置にも本発明を適用できる。また、上記実施形態では、ノーマリーホワイト型の液晶表示装置１００に本発明を適用したが、これに限らず、ノーマリーブラック型の液晶表示装置にも本発明を適用できる。
【００８２】
［電子機器］
次に、本発明による液晶表示装置１００を電子機器の表示装置として用いる場合の実施形態について説明する。
【００８３】
図１９は、本実施形態の全体構成を示す概略構成図である。ここに示す電子機器は、上記の液晶表示装置１００と、これを制御する制御手段４１０とを有する。ここでは、液晶表示装置１００を、パネル構造体４０３と、半導体ＩＣなどで構成される駆動回路４０２とに概念的に分けて描いてある。また、制御手段４１０は、表示情報出力源４１１と、表示情報処理回路４１２と、電源回路４１３と、タイミングジェネレータ４１４と、を有する。
【００８４】
表示情報出力源４１１は、ＲＯＭ（Read Only Memory）やＲＡＭ（Random Access Memory）などからなるメモリと、磁気記録ディスクや光記録ディスクなどからなるストレージユニットと、デジタル画像信号を同調出力する同調回路とを備え、タイミングジェネレータ４１４によって生成された各種のクロック信号に基づいて、所定フォーマットの画像信号などの形で表示情報を表示情報処理回路４１２に供給するように構成されている。
【００８５】
表示情報処理回路４１２は、シリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫとともに駆動回路４０２へ供給する。駆動回路４０２は、走査線駆動回路、データ線駆動回路及び検査回路を含む。また、電源回路４１３は、上述の各構成要素にそれぞれ所定の電圧を供給する。
【００８６】
次に、本発明に係る液晶表示装置１００を適用可能な電子機器の具体例について図２０を参照して説明する。
【００８７】
まず、本発明に係る液晶表示装置１００を、可搬型のパーソナルコンピュータ（いわゆるノート型パソコン）の表示部に適用した例について説明する。図２０（ａ）は、このパーソナルコンピュータの構成を示す斜視図である。同図に示すように、パーソナルコンピュータ７１０は、キーボード７１１を備えた本体部７１２と、本発明に係る液晶表示パネルを適用した表示部７１３とを備えている。
【００８８】
続いて、本発明に係る液晶表示装置１００を、携帯電話機の表示部に適用した例について説明する。図２０（ｂ）は、この携帯電話機の構成を示す斜視図である。同図に示すように、携帯電話機７２０は、複数の操作ボタン７２１のほか、受話口７２２、送話口７２３とともに、本発明に係る液晶表示装置１００を適用した表示部７２４を備える。
【００８９】
なお、本発明に係る液晶表示装置１００を適用可能な電子機器としては、図２０（ａ）に示したパーソナルコンピュータや図２０（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【００９０】
また、本発明は、液晶表示装置のみでなく、エレクトロルミネッセンス装置、有機エレクトロルミネッセンス装置、プラズマディスプレイ装置、電気泳動ディスプレイ装置、電子放出素子を用いた装置（Field Emission Display 及び Surface-Conduction Electron-Emitter Display 等）などの各種の電気光学装置においても本発明を同様に適用することが可能である。
【図面の簡単な説明】
【００９１】
【図１】本実施形態に係る液晶表示装置の電極及び配線の構成を示す平面図。
【図２】液晶表示装置の断面構成を示す。
【図３】素子基板の電極及び配線の構成等を示す平面図。
【図４】カラーフィルタ基板の電極の構成を示す平面図。
【図５】液晶表示装置の駆動回路例を示す。
【図６】走査電位VA、信号電位ＶB及び電極間電圧ＶABの波形図を示す。
【図７】信号電位ＶB及び電極間電圧ＶABの波形図を示す。
【図８】階調値とオン区間のパルス幅との関係を示す図表。
【図９】データ信号駆動回路の回路図を示す。
【図１０】液晶表示装置の駆動時のタイミングチャートを示す。
【図１１】波形変換部の回路図を示す。
【図１２】異なる階調レベルの駆動波形例を示す波形図。
【図１３】液晶表示装置の１ライン分の等価回路を示す。
【図１４】横クロストークの発生原理を説明する図。
【図１５】第１及び第２の階調制御方法による横クロストーク低減方法を説明する図。
【図１６】第１の階調制御方法による横クロストークの低減方法を説明するグラフ。
【図１７】第２の階調制御方法による横クロストークの低減方法を説明する波形図。
【図１８】変形例に係る横クロストーク低減方法を説明する図。
【図１９】本発明の液晶表示装置を適用した電子機器の回路ブロック図を示す。
【図２０】本発明の液晶表示装置を適用した電子機器の例を示す。
【符号の説明】
【００９２】
１  上側基板、  ２  下側基板、  ３  シール部材、  ６  着色層、  ７  導通部材、  ８  走査電極、  １０  画素電極、  ３１  走査線、  ３２、３２ａ  データ線、  ２１  ＴＦＤ素子、  ８０  ダミー画素電極、  ８６  ダミー画素領域、  ９１  カラーフィルタ基板、  ９２  素子基板、  Ｖ  有効表示領域、  １００  液晶表示装置
【図１】
2005284056.tif 000003
【図２】
2005284056.tif 000004
【図３】
2005284056.tif 000005
【図４】
2005284056.tif 000006
【図５】
2005284056.tif 000007
【図６】
2005284056.tif 000008
【図７】
2005284056.tif 000009
【図８】
2005284056.tif 000010
【図９】
2005284056.tif 000011
【図１０】
2005284056.tif 000012
【図１１】
2005284056.tif 000013
【図１２】
2005284056.tif 000014
【図１３】
2005284056.tif 000015
【図１４】
2005284056.tif 000016
【図１５】
2005284056.tif 000017
【図１６】
2005284056.tif 000018
【図１７】
2005284056.tif 000019
【図１８】
2005284056.tif 000020
【図１９】
2005284056.tif 000021
【図２０】
2005284056.tif 000022